(57)【特許請求の範囲】
【請求項１】
室内に空気を吹き出すファンロータ（２０３）と、
一部が前記ファンロータ（２０３）の一端近傍とオーバーラップする第１カバー部（２１２ｄ）、一部が前記ファンロータ（２０３）の他端近傍とオーバーラップする第２カバー部（２１２ｅ）、および前記ファンロータ（２０３）の背面側を覆う背面部（２１２ａ）が一体成形され、正面側の第１および第２カバー部（２１２ｄ，２１２ｅ）の間の開口の幅（Ｗ）が前記ファンロータ（２０３）の長さよりも短い底フレーム（２１２）と、
を備え、
前記底フレーム（２１２）は、前記第１カバー部（２１２ｄ）の内側に、前記ファンロータ（２０３）を長手方向にスライドさせることができる組込用空間（Ｓ）を有している、
空気調和装置の室内機。
【請求項２】
室内に空気を吹き出すファンロータ（２０３）と、
一部が前記ファンロータ（２０３）の一端近傍とオーバーラップする第１カバー部（２１２ｄ）、一部が前記ファンロータ（２０３）の他端近傍とオーバーラップする第２カバー部（２１２ｅ）、および前記ファンロータ（２０３）の背面側を覆う背面部（２１２ａ）が一体成形され、正面側の第１および第２カバー部（２１２ｄ，２１２ｅ）の間の開口の幅が前記ファンロータ（２０３）の長さよりも短い底フレーム（２１２）と、
を備え、
前記底フレーム（２１２）内への前記ファンロータ（２０３）の挿入時において前記ファンロータ（２０３）を長手方向にスライドさせることができるように、前記第１カバー部（２１２ｄ）の幅（Ｌ３）が前記第２カバー部（２１２ｅ）の幅（Ｌ２）よりも大きくなっている、
空気調和装置の室内機。
【請求項３】
前記ファンロータ（２０３）の前記第１カバー部（２１２ｄ）側の端部から延びるシャフト（２０３ａ）と、
前記シャフト（２０３ａ）を軸支する軸受（２１３）と、
をさらに備え、
前記軸受（２１３）は、傾斜可能である、
請求項１又は２に記載の空気調和装置の室内機。
【請求項４】
前記ファンロータ（２０３）を駆動するファンモータ（２１４）をさらに備え、
前記ファンロータ（２０３）は、前記ファンモータ（２１４）の回転軸（２１４ｂ）に連結される、
請求項３に記載の空気調和装置の室内機。
【請求項５】
前記ファンロータ（２０３）は、長手方向端面の内側の空間に、前記ファンモータ（２１４）の回転軸（２１４ｂ）に連結される連結部を有している、
請求項４に記載の空気調和装置の室内機。
【請求項６】
前記第１および第２カバー部（２１２ｄ，２１２ｅ）の正面側の少なくとも一部は、前記底フレーム（２１２）内の空間への前記ファンロータ（２０３）の組み込み時において弾性変形するように形成されている、
請求項１から５のいずれかに記載の空気調和装置の室内機。
【発明の詳細な説明】
【０００１】
【発明の属する技術分野】
本発明は、空気調和装置の室内機、特に、ファンロータを覆う部品点数を少なくしつつ組み立ての容易性を確保することができる室内機に関する。
【０００２】
【従来の技術】
空気調和装置の室内機は、例えば図１〜図３に示すように、ケーシング２、ケーシング２の内部に配置されたファンロータ３および熱交換器４、電装品箱３０などを備えている。
ケーシング２は、主として、前面グリル組立体１０と、前面グリル組立体１０の前方正面に装着される前面パネル１１と、後方に位置する底フレーム１２とから構成されており、室内の壁面に固定される据付板１５に装着されて室内壁等に固定される。前面グリル組立体１０の上面には多数のスリット状の開口からなる上部吸込口１０ａが設けられ、前面パネル１１には上方および側方に開口する前面吸込口１１ａが設けられている。また、前面グリル組立体１０の前面下部には、ファンロータ３によって生成された空気流を吹き出す吹出口１０ｂが形成される。この前面グリル組立体１０は、底フレーム１２に取り付けられる。底フレーム１２には、ファンロータ３を収納するファン収納部１２ａが形成されている。
【０００３】
ファンロータ３は、底フレーム１２のファン収納部１２ａに配置され、軸受１３を介して底フレーム１２に取り付けられる。ファンロータ３の軸受１３と対向する側面は、ファンロータ駆動用のモータ１４の回転軸と連結される。このモータ１４は、背面側が底フレーム１２に、正面側がモータ固定部材１６によって支持される。すなわち、モータ固定部材１６は、底フレーム１２との間にモータ１４を径方向に挟み込む形で、底フレーム１２にネジ止めされる。
【０００４】
また、前面グリル組立体１０の上部吸込口１０ａの内方および前面パネル１１の前面吸込口１１ａの内方には、空気清浄用のエアフィルタ１７が設けられている。
熱交換器４は、ファンロータ３の前方、上方および後部上方を取り囲むように設けられている。この熱交換器４は、左右両端で複数回折り返された伝熱管に多数の放熱フィンが取り付けられたものであり、ファンロータ３の駆動により上部吸込口１０ａおよび前面吸込口１１ａから吸い込まれた空気をファンロータ３側に通過させ、伝熱管内部を通過する冷媒との間で熱交換を行わせるものである。熱交換器４は、冷媒配管を介して室外機からの冷媒配管と接続される。
【０００５】
熱交換器４の正面側の下端の下方には、ドレンパン組立体１８が配置される。ドレンパン組立体１８は、前ドレンパン１８ｃの他に、前舌部１８ａや吹き出し空気の方向を調整するための羽根などを含んでいる。また、熱交換器４の背面側の下端の下方には、後ドレンパン２２が底フレーム１２と一体に形成されている。
【０００６】
ケーシング２の内部には、図２に示すように、ファンロータ３からの空気流を吹出口１０ｂに導くための案内部が形成される。この案内部は、底フレーム１２の一部であってファンロータ３の背面側を覆い下方に延びる後壁２１と、この後壁２１に対向するように配置されたドレンパン組立体１８の前舌部１８ａと、前舌部１８ａに連続し吹出口１０ｂに続く前壁１８ｂとから構成されている。そして、この案内部の吸い込み側付近に、ファンロータ３が配置されることになる。
【０００７】
【発明が解決しようとする課題】
上記のような従来の空気調和装置の室内機の中には、図４（Ａ）に示すように、ファンロータ１０３の端部近傍の正面側を部分的に覆うカバー部１１２ｄ，１１６ｂが形成されているものがある。カバー部１１２ｄ，１１６ｂは、それぞれ、ファンロータ１０３の長手方向にファンロータ１０３と寸法Ｌ１だけオーバーラップしている。したがって、正面側（図４（Ａ）の上側）から見たときには、カバー部１１２ｄとカバー部１１６ｂとの間の開口からファンロータ１０３が見えるが、ファンロータ３の長手方向の両端近傍はカバー部１１２ｄ，１１６ｂに隠れて見えない。
【０００８】
そして、図４（Ａ）から判るように両カバー部１１２ｄ，１１６ｂが一体成形されているとファンロータ１０３を定位置に収めることができないため、カバー部１１２ｄは底フレーム１１２の一部として形成され、カバー部１１６ｂは底フレーム１１２とは別部材であるモータ固定部材１１６の一部として形成されている。底フレーム１１２は、上記の底フレーム１２と同様に、ファンロータ１０３の背面を覆う後壁１１２ａを有し室内機の底を形成する構造体である。
【０００９】
この図４（Ｂ）に示す室内機の組み立てにおいては、底フレーム１１２に対してファンロータ１０３およびファンモータ１１４を定位置に組み込み、その後、モータ固定部材１１６を底フレーム１１２に固定して両者１１６，１１２によりファンモータ１１４を挟み込む。この状態で、ファンモータ１１４のモータ本体１１４ａがモータ固定部材１１６のモータ外面支持部１１６ａおよび底フレーム１１２のモータ外面支持部１１２ｂにより保持され、ファンロータ１０３がシャフト１０３ａおよび軸受１１３を介して底フレーム１１２の軸受支持部１１２ｃに保持されるようになる。なお、ファンロータ１０３とファンモータ１１４の回転軸１１４ｂとの連結は、モータ固定部材１１６の底フレーム１１２への装着の前後いずれかのタイミングで行う。
【００１０】
このように、底フレーム１１２に対してモータ固定部材１１６を分割しておけば、カバー部１１２ｄ，１１６ｂが存在していても、ファンロータ１０３を定位置に組み込むことが可能である。
しかしながら、空気調和装置の室内機を構成する各部品やモジュールの構造を簡素化して部品コストや組み立てコストを低減する視点に立つと、底フレーム１１２に対し分割されているモータ固定部材１１６が必要となる構造を採ることは好ましくない。
【００１１】
本発明の課題は、ファンロータの両端部近傍の正面側をそれぞれ部分的に覆うカバー部が存在する空気調和装置の室内機であって、両カバー部をファンロータの背面を覆う背面部とともに一体成形することで部品点数が少なくなる室内機を提供することにある。
【００１２】
【課題を解決するための手段】
請求項１に係る空気調和装置の室内機は、ファンロータと、底フレームとを備えている。ファンロータは、室内に空気を吹き出す。底フレームには、第１カバー部、第２カバー部、および背面部が一体成形されている。第１カバー部は、その一部がファンロータの一端近傍とオーバーラップする。第２カバー部は、その一部がファンロータの他端近傍とオーバーラップする。背面部は、ファンロータの背面側を覆う。また、底フレームは、正面側の第１および第２カバー部の間の開口の幅が、ファンロータの長さよりも短い。さらに、底フレームは、第１カバー部の内側に、ファンロータを長手方向にスライドさせることができる組込用空間を有している。
【００１３】
ここでは、ファンロータの背面を覆う背面部に対してファンロータの両端近傍とオーバーラップする第１および第２カバー部を一体成形しているため、第１および第２カバー部をそれぞれ別部材に形成する従来の室内機に較べて、部品点数が少なくなる。
一方、第１および第２カバー部を一体成形しているため、正面側の第１および第２カバー部の間の開口からファンロータを平行移動させて真っ直ぐ底フレーム内に組み入れることはできない。しかし、ここでは底フレームが第１カバー部の内側に組込用空間を有しているため、ファンロータを傾斜させて正面側の第１および第２カバー部の間の開口からファンロータを長手方向に移動させて底フレーム内に入れ込み、その後にファンロータを長手方向にスライドさせて定位置に収めることができる。
【００１４】
請求項２に係る空気調和装置の室内機は、ファンロータと、底フレームとを備えている。ファンロータは、室内に空気を吹き出す。底フレームには、第１カバー部、第２カバー部、および背面部が一体成形されている。第１カバー部は、その一部がファンロータの一端近傍とオーバーラップする。第２カバー部は、その一部がファンロータの他端近傍とオーバーラップする。背面部は、ファンロータの背面側を覆う。また、底フレームは、正面側の第１および第２カバー部の間の開口の幅が、ファンロータの長さよりも短い。そして、底フレーム内へのファンロータの挿入時においてファンロータを長手方向にスライドさせることができるように、第１カバー部の幅が第２カバー部の幅よりも大きくなっている。
【００１５】
ここでは、ファンロータの背面を覆う背面部に対してファンロータの両端近傍とオーバーラップする第１および第２カバー部を一体成形しているため、第１および第２カバー部をそれぞれ別部材に形成する従来の室内機に較べて、部品点数が少なくなる。
一方、第１および第２カバー部を一体成形しているため、正面側の第１および第２カバー部の間の開口からファンロータを平行移動させて真っ直ぐ底フレーム内に組み入れることはできない。しかし、ここでは、第１カバー部の幅が第２カバー部の幅よりも大きくなっており、正面側の第１および第２カバー部の間の開口からファンロータを底フレーム内へと挿入する際にファンロータを長手方向にスライドさせることができる。このため、ファンロータを傾斜させた状態で幅が大きい第１カバー部側にオーバースライドさせることで底フレーム内にファンロータを入れ、その後にファンロータを底フレーム内で長手方向にスライドさせて定位置に収めることができる。
【００１６】
請求項３に係る空気調和装置の室内機は、請求項１又は２に記載の室内機であって、シャフトと、軸受とをさらに備えている。シャフトは、ファンロータの第１カバー部側の端部から延びている。軸受は、シャフトを軸支する。また、軸受は、傾斜可能である。
ここでは、ファンロータの一端を軸支するための軸受が傾斜可能であるため、ファンロータを底フレーム内に傾斜させて入れ込むことが容易となる。
【００１７】
なお、軸受は、軸受全体が傾斜する構造であってもよいし、軸受の自動調心機能により内周部分だけが傾斜する構造であってもよい。
請求項４に係る空気調和装置の室内機は、請求項３に記載の室内機であって、ファンロータを駆動するファンモータをさらに備えている。ファンロータは、ファンモータの回転軸に連結される。
【００１８】
本発明においては最終的にファンロータを底フレーム内でスライドさせることでファンロータを定位置に移動させるが、ここでは、ファンロータをファンモータの回転軸に連結することにより、ファンモータの固定でファンロータの長手方向の位置が精度良く決まることになる。
請求項５に係る空気調和装置の室内機は、請求項４に記載の室内機であって、ファンロータは、長手方向端面の内側の空間に、ファンモータの回転軸に連結される連結部を有している。
【００１９】
ここでは、ファンモータの端面の内側にファンモータの回転軸を入れ、ファンモータの端面の内側の連結部においてファンロータとファンモータの回転軸とを連結させる構造であるため、ファンロータの端面からファンモータ側に突起する部分をなくすことができ、ファンロータを組み込みやすくなる。これにより、底フレーム内へのファンロータの組み込み時にファンロータをスライドさせる量を小さく抑えることができる。
【００２０】
請求項６に係る空気調和装置の室内機は、請求項１から５のいずれかに記載の室内機であって、第１および第２カバー部の正面側の少なくとも一部は、底フレーム内の空間へのファンロータの組み込み時において弾性変形するように形成されている。
本発明を採用することにより、ファンロータを傾斜させて正面側の第１および第２カバー部の間の開口からファンロータを長手方向に移動させて底フレーム内に入れ込むことができるようになるが、その際にファンロータと各カバー部とが接触する恐れがある。この接触によりファンロータ等が傷つく恐れがあるが、ここでは、弾性変形可能に第１および第２カバー部の正面側の少なくとも一部を形成しているため、接触した際にもファンロータ等が傷つくことが抑えられる。
【００２１】
【発明の実施の形態】
本発明の一実施形態に係る空気調和装置の室内機は、上記「従来の技術」欄で説明を行った図１〜図３に示す室内機において、底フレーム１２に代えて、底フレーム１２にモータ固定部材１６を一体化するとともに左右のカバー部２１２ｄ，２１２ｅを一体成形した形状の底フレーム２１２を採用するものである。
【００２２】
＜従来の底フレームの構成＞
本実施形態における底フレーム２１２を説明する前に、従来の底フレームについて説明する。
図１〜図３に示すような室内機の中には、図４（Ａ）に示すように、ファンロータ１０３の端部近傍の正面側を部分的に覆うカバー部１１２ｄ，１１６ｂが形成されているものがある。カバー部１１２ｄ，１１６ｂは、それぞれ、ファンロータ１０３の長手方向にファンロータ１０３と寸法Ｌ１だけオーバーラップしている。したがって、正面側（図４（Ａ）の上側）から見たときには、カバー部１１２ｄとカバー部１１６ｂとの間の開口からファンロータ１０３が見えるが、ファンロータ３の長手方向の両端近傍はカバー部１１２ｄ，１１６ｂに隠れて見えない。
【００２３】
そして、図４（Ａ）から判るように両カバー部１１２ｄ，１１６ｂが一体成形されているとファンロータ１０３を定位置に収めることができないため、カバー部１１２ｄは底フレーム１１２の一部として形成され、カバー部１１６ｂは底フレーム１１２とは別部材であるモータ固定部材１１６の一部として形成されている。底フレーム１１２は、上記の底フレーム１２と同様に、ファンロータ１０３の背面を覆う後壁１１２ａを有し室内機の底を形成する構造体である。
【００２４】
この図４（Ａ）に示す室内機の組み立てにおいては、底フレーム１１２に対してファンロータ１０３およびファンモータ１１４を定位置に組み込み、その後、モータ固定部材１１６を底フレーム１１２に固定して両者１１６，１１２によりファンモータ１１４を挟み込む。この状態で、ファンモータ１１４のモータ本体１１４ａがモータ固定部材１１６のモータ外面支持部１１６ａおよび底フレーム１１２のモータ外面支持部１１２ｂにより保持され、ファンロータ１０３がシャフト１０３ａおよび軸受１１３を介して底フレーム１１２の軸受支持部１１２ｃに保持されるようになる。なお、ファンロータ１０３とファンモータ１１４の回転軸１１４ｂとの連結は、モータ固定部材１１６の底フレーム１１２への装着の前後いずれかのタイミングで行う。
【００２５】
このように、底フレーム１１２に対してモータ固定部材１１６を分割しておけば、カバー部１１２ｄ，１１６ｂが存在していても、ファンロータ１０３を定位置に組み込むことが可能である。
＜本実施形態における底フレームの構成＞
底フレーム２１２は、図４（Ｂ）に示すように、後壁２１２ａ、モータ外周面支持部２１２ｂ１、モータ前面支持部２１２ｂ２、軸受支持部２１２ｃ、第１カバー部２１２ｄ、第２カバー部２１２ｅなどが樹脂素材から一体成形された構造体である。
【００２６】
後壁２１２ａは、ファンロータ２０３の背面側を覆いつつファンロータ２０３の背面側から下方に延びており、ファンロータ２０３からの空気流を吹出口に導く役割を果たす。
モータ外周面支持部２１２ｂ１は、周方向に分割されていない円筒形状を有しており、その内径がファンモータ２１４の本体２１４ａの外径と概ね等しくなるように形成されている。このモータ外周面支持部２１２ｂ１は、ファンモータ２１４の本体２１４ａの外面を径方向に支持する。
【００２７】
モータ前面支持部２１２ｂ２は、本体２１４ａの前部をスラスト方向（モータシャフト２１４ｂに沿った方向）に支持する部分であって、モータ外周面支持部２１２ｂ１の内側に形成されている。
軸受支持部２１２ｃは、後壁２１２ａのモータ外周面支持部２１２ｂ１側と反対側の端部から正面側（図４（Ｂ）の上側）に突き出ており、ファンロータ２０３のシャフト２０３ａを軸支する軸受２１３を支持する。
【００２８】
第１カバー部２１２ｄは、軸受支持部２１２ｃから寸法Ｌ３だけ内側に延び、ファンロータ２０３を組み付けた後においてファンロータ２０３の一端の近傍を覆う。寸法Ｌ３は、図４（Ａ）に示す従来の底フレーム１１２のカバー部１１２ｄの内側の左右幅Ｌ２よりも大きくなっている。
第２カバー部２１２ｅは、モータ前面支持部２１２ｂ２の内側において組み込み後のファンロータ２０３の他端の近傍を覆うように形成されている。この第２カバー部２１２ｅの左右幅Ｌ２は、図４（Ａ）に示す従来の底フレーム１１２のカバー部１１６ｂの左右幅Ｌ２と同寸法である。すなわち、底フレーム２１２では、第１カバー部２１２ｄの左右幅Ｌ３が第２カバー部２１２ｅの左右幅Ｌ２よりも大きくなっている。これにより、第１カバー部２１２ｄの内周側には、図４（Ａ）に示す従来の底フレーム１１２には存在しない空間Ｓが存在するようになっている（図４（Ｂ）参照）。
【００２９】
なお、第１および第２カバー部２１２ｄ，２１２ｅがファンロータ２０３とオーバーラップしているオーバーラップ代Ｌ１は、図４（Ａ）に示す従来の底フレーム１１２のカバー部１１２ｄ，１１６ｂのオーバーラップ代Ｌ１と同寸法である。
また、底フレーム２１２には、図６に示すように、熱交換器の正面側の下端の下方に位置する前ドレンパン２１２ｈと、熱交換器の背面側の下端の下方に位置する後ドレンパン２１２ｇとが成形されている。
【００３０】
＜ファンロータの構成＞
ファンロータ２０３は、左右に長いクロスフローファンである。このファンロータ２０３は、その長さ（幅）が、正面側からみた底フレーム２１２の第１カバー部２１２ｄと第２カバー部２１２ｅとの間の開口の幅Ｗよりも長くなっている。すなわち、第１および第２カバー部２１２ｄ，２１２ｅは、ファンロータ２０３に対してオーバーラップ代Ｌ１だけ左右にオーバーラップしている。
【００３１】
ファンロータ２０３の正面視左側にはシャフト２０３ａが、ファンロータ２０３の正面視右側にはボス２０３ｂが、それぞれファンロータ２０３から延びている。シャフト２０３ａは、最終的に軸受２１３によって軸支されるものであって、後述する組み立て時におけるオーバースライド量に見合う寸法だけ従来のものよりも長く形成されている。すなわち、図４（Ｂ）に示す底フレーム２１２の第１カバー部２１２ｄの左右幅Ｌ３と図４（Ａ）に示す従来のカバー部１１２ｄの左右幅Ｌ２との差だけ、シャフト２０３ａが従来のシャフト１０３ａよりも長く設計されている。ボス２０３ｂは、ファンモータ２１４のモータシャフト２１４ｂとの接続のために設けられている。
【００３２】
＜軸受の構成＞
軸受２１３は、底フレーム２１２の軸受支持部２１２ｃに固定され、ファンロータ２０３のシャフト２０３ａを軸支する。この軸受２１３は、後述する組み立て時において、斜めに傾斜した状態で底フレーム２１２内に挿入されるファンロータ２０３の挿入方向に対応して傾くようになっている。具体的には、軸受２１３として自動調心機能を有する軸受を採用している。
【００３３】
＜底フレームに対するファンロータの組み込み方法＞
図５（Ａ）〜（Ｄ）を参照しながら、底フレーム２１２内にファンロータ２０３を組み込む方法について説明する。なお、ファンモータ２１４の底フレーム２１２への組み込みについては、後に詳述する。
まず、図５（Ａ）に示すように、ファンロータ２０３を前後に傾斜させた状態で、斜め上方から底フレーム２１２の第１カバー部２１２ｄと第２カバー部２１２ｅとの間の開口を通してファンロータ２０３を底フレーム２１２の内部へと挿入する。この図５（Ａ）の矢印Ａ１の向きに沿ったファンロータ２０３の挿入により、第１カバー部２１２ｄと第２カバー部２１２ｅとの間の開口Ｗよりも幅が大きいファンロータ２０３が、底フレーム２１２の内部へと入っていく。このときには、ファンロータ２０３のシャフト２０３ａが軸受２１３の中をスライドしていく。そして、軸受２１３は、ファンロータ２０３の傾斜に対応して傾斜する。
【００３４】
次に、図５（Ｂ）に示す状態までファンロータ２０３が軸受２１３側に入り込むと、ファンロータ２０３のボス２０３ｂ側の端部を奥側に押し込み（矢印Ａ２参照）、傾斜状態のファンロータ２０３をファンモータ２１４のモータシャフト２１４ｂに沿った方向へと姿勢変化させる。これにより図５（Ｃ）に示す状態となったファンロータ２０３は、次に、正規の位置よりも軸受２１３側にオーバースライドしている分だけ、ファンモータ２１４側へと戻される。そして、最終的には、ファンロータ２０３のボス２０３ｂにファンモータ２１４のモータシャフト２１４ｂをはめ込ませて、両者２０３ｂ，２１４ｂを連結固定する（図４（Ｂ）参照）。
【００３５】
なお、ファンロータ２０３の長手方向（左右方向）の位置は、固定されたファンモータ２１４によって確定することになる。
＜底フレームに対するファンモータの組み込み方法＞
図６〜図８を参照しながら、ファンモータ２１４を底フレーム２１２に固定する方法を説明する。
【００３６】
まず、図６の矢印Ａ０で示すように、底フレーム２１２の円筒状のモータ外周面支持部２１２ｂ１に対して、側方からファンモータ２１４を挿入する。すると、ファンモータ２１４は、その外周面がモータ外周面支持部２１２ｂ１によって径方向に支持された状態となる。
そして、上述のようにファンロータ２０３が底フレーム２１２に組み込まれると、図７に示す状態となる。このようにファンモータ２１４およびファンロータ２０３が底フレーム２１２に組み込まれた後に、電装品箱２３０が底フレーム２１２に対して側方から装着される。このときには、電装品箱２３０の側面に設けられたモータ後面支持部２３０ａが、ファンモータ２１４の後面に接触して、モータ前面支持部２１２ｂ２とともにファンモータ２１４をモータ厚み方向に挟み込む。すなわち、電装品箱２３０が底フレーム２１２に固定されると、ファンモータ２１４は、モータシャフト２１４ｂに沿った方向の前後端を、底フレーム２１２のモータ前面支持部２１２ｂ２と電装品箱２３０のモータ後面支持部２３０ａとによって支持されるようになる。これにより、ファンモータ２１４は、厚み方向にも径方向にも拘束された状態となる（図８参照）。
【００３７】
なお、電装品箱２３０の底フレーム２１２への装着は、モータ前面支持部２１２ｂ２とモータ後面支持部２３０ａとがビス等により固定されることにより為されてもよいし、両支持部２１２ｂ２，２３０ａとは異なる部分において為されてもよい。モータ前面支持部２１２ｂ２とモータ後面支持部２３０ａとを締結する場合にビス止めを用いるときには、モータシャフト２１４ｂに沿った方向にビスを打ってもよいし、モータシャフト２１４ｂに対して放射状にビスを打ってもよい。
【００３８】
また、ファンモータ２１４を厚み方向に挟むことになる２つの支持部２１２ｂ２，２３０ａの間の距離は、ファンモータ２１４とモータ前面支持部２１２ｂ２との間に介挿される防振ゴム（図示せず）の変形を考慮して、若干小さく設定されている。
＜本実施形態に係る室内機の特徴＞
（１）ここでは、周方向に分割されていないモータ外周面支持部２１２ｂ１を底フレーム２１２に一体に形成し、そのモータ外周面支持部２１２ｂ１によりファンモータ２１４の外周面を径方向に支持させている。したがって、ファンモータ２１４の支持構造が周方向に分割されている従来の室内機（図４（Ａ）参照）に較べて、ファンモータ２１４の固定状態が安定する。
【００３９】
また、ファンモータ２１４を径方向に支持するモータ外周面支持部２１２ｂ１を周方向に分割していないため、ファンモータ２１４の軸心の位置出しの正確性が向上するとともに、従来のような締結部の緩みによる回転時の軸心の振れもなくなる。
さらに、ファンモータ２１４とモータ前面支持部２１２ｂ２との間には防振ゴム（図示せず）が介挿されるが、モータ外周面支持部２１２ｂ１やモータ前面支持部２１２ｂ２が周方向に分割されていないため、これらによる防振ゴムの噛み込みも無くなる。
【００４０】
（２）ここでは、底フレーム２１２に形成されたモータ前面支持部２１２ｂ２および電装品箱２３０のモータ後面支持部２３０ａによって、ファンモータ２１４の前部および後部がモータシャフト２１４ｂの方向に支持される。すなわち、両支持部２１２ｂ２，２３０ａによりファンモータ２１４を厚み方向に挟み込む構造を採っている。
【００４１】
このように、ファンモータ２１４の後部を電装品箱２３０を利用して支持しているため、電装品箱２３０を底フレーム２１２から取り外すと、ファンモータ２１４をスラスト方向（モータシャフト２１４ｂに沿った方向）に脱着することができ、組み立てやメンテナンスが容易となっている。
また、通常は熱交換器４を底フレーム２１２に固定するため、従来であれば熱交換器４を外さなければファンモータ２１４を取り出すことができなかったが、ここではスラスト方向にファンモータ２１４を脱着できるため、ファンモータ２１４の脱着時に熱交換器４を外す必要がなくなっている。
【００４２】
（３）ここでは、ファンロータ２０３の背面を覆う後壁２１２ａと、ファンロータ２０３の両端とオーバーラップする第１および第２カバー部２１２ｄ，２１２ｅとが一体に成形される底フレーム２１２を採用している。このため、カバー部１１２ｄ，１１６ｂをそれぞれ別部材に形成する従来の底フレーム１１２（図４（Ａ）参照）に較べて、部品点数が少なくなっている。
【００４３】
一方、第１および第２カバー部２１２ｄ，２１２ｅを一体成形しているため、正面側の第１および第２カバー部２１２ｄ，２１２ｅの間の開口からファンロータ２０３を平行移動させて真っ直ぐに底フレーム２１２内に組み入れることはできない。しかし、ここでは、底フレーム２１２の第１カバー部２１２ｄの内周側に空間Ｓが存在するため、ファンロータ２０３を傾斜させて底フレーム２１２の内部に入れ込み、その後にファンロータ２０３を長手方向（左右方向）にスライドさせて定位置に収めることができている。
【００４４】
（４）ここでは、ファンロータ２０３の一端に形成されているシャフト２０３ａを軸支する軸受２１３が傾斜可能なものであるため、ファンロータ２０３を底フレーム２１２内に傾斜させて入れ込むことが容易となっている。
＜本実施形態の変形例＞
［変形例Ａ］
上記の実施形態においてはシャフト２０３ａがファンロータ２０３から延びているが、軸受２１３側にシャフト２０３ａを装着した後にファンロータ２０３とシャフト２０３ａとを連結する構成を採ることも可能である。
【００４５】
［変形例Ｂ］
ファンロータ２０３とオーバーラップする底フレーム２１２の第１および第２カバー部２１２ｄ，２１２ｅを、弾性的な部材により形成したり、弾性的な構造にしたりすることによって、ファンロータ２０３を底フレーム２１２内に挿入する際に第１および第２カバー部２１２ｄ，２１２ｅが撓むようにすることが望ましい。このように第１および第２カバー部２１２ｄ，２１２ｅが弾性変形するように構成しておけば、挿入時にファンロータ２０３が第１および第２カバー部２１２ｄ，２１２ｅに当たってしまったときにも、ファンロータ２０３が傷つくことが抑えられる。
【００４６】
［変形例Ｃ］
上記の実施形態では、ファンモータ２１４を側方からモータ外周面支持部２１２ｂ１内に挿入し、第１および第２カバー部２１２ｄ，２１２ｅの間の開口から底フレーム２１２内にファンロータ２０３を組み入れた後に、ファンモータ２１４とファンロータ２０３とを連結させている。
【００４７】
しかし、図９（ａ）に示す底フレーム３１２を採用すれば、このような組み立て方法に代えて、ファンモータ３１４とファンロータ３０３とを予め連結させておいたものを一度に底フレーム３１２内に組み入れることが可能になる。
底フレーム３１２は、後壁３１２ａ、モータ外周面支持部３１２ｂ１、モータ前面支持部３１２ｂ２、軸受支持部３１２ｃ、第１カバー部３１２ｄ、第２カバー部３１２ｅなどが樹脂素材から一体成形された構造体である。この底フレーム３１２が上記の底フレーム２１２と異なる点は、モータ前面支持部３１２ｂ２の内側に形成されている開口がファンロータ３０３の外径よりも大きい孔３１２ｇとなっており、図９（ａ）の右側方から底フレーム３１２の内部へとファンロータ３０３を挿入することができる点である。孔３１２ｇは、ファンモータ３１４のモータシャフト３１４ｂを中心とする孔である。
【００４８】
ここでは、ファンモータ３１４とファンロータ３０３とを予め連結させておいて、それを側方から底フレーム３１２内へと挿入させ、ファンロータ３０３のシャフト３０３ａを軸受３１３に、ファンモータ３１４をモータ外周面支持部３１２ｂ１およびモータ前面支持部３１２ｂ２に装着させることができる。これにより、ファンロータ３０３とオーバーラップする第１および第２カバー部２１２ｄ，２１２ｅが存在し、且つ底フレーム３１２内にファンロータ３０３をスライドさせるための十分な余剰空間を確保できない場合であっても、ファンロータ３０３を定位置に収めることが可能となる。
【００４９】
なお、ファンロータ３０３とファンモータ３１４とは、予め連結させておいてもよいし、先に側方からファンロータ３０３を底フレーム３１２内に組み込んで後に側方からファンモータ３１４を組み込むようにしてもよい。後者の場合には、ファンロータ３０３とファンモータ３１４とをネジで固定するのではなく、ワンタッチで両者３０３，３１４が装着されるようにすることが望ましい。
【００５０】
また、図９（ｂ）に示すように、底フレーム３１２がスペーサー３２０を介してファンモータ３１４を支持するような構造を採れば、ファンモータ３１４の外径がファンロータ３０３の外径よりも小さい場合にも、ファンモータ３１４とファンロータ３０３とを予め連結させておいたものを一度に底フレーム３１２内に組み入れることができるようになる。
【００５１】
［変形例Ｄ］
図１０（Ａ），（Ｂ）に示すようにモータ外周面支持部２１２ｂ１の外側の開口近傍の内面を加工しておけば、底フレーム２１２のモータ外周面支持部２１２ｂ１に対して側方からファンモータ２１４を挿入する作業がより容易となる。
図１０（Ａ）では、モータ外周面支持部２１２ｂ１の開口近傍の内面を全周に渡って面取り加工し、傾斜面２１２ｂ３を形成している。図１０（Ｂ）では、モータ外周面支持部２１２ｂ１の開口近傍の内面を全周に渡ってＲ加工し、湾曲面２１２ｂ４を形成している。
【００５２】
［変形例Ｅ］
上記の実施形態では、図４（Ｂ）に示すようにファンロータ２０３の正面視右側にボス２０３ｂを突出させているが、モータシャフト２１４ｂとの連結のためのボスをファンロータ２０３の内側に配置し、ファンロータ２０３のファンモータ２１４側の端面を平坦にすることも有効である。このようにファンロータ２０３の端面から余分な突起がなくなれば、ファンロータ２０３の挿入作業が容易になったり、ファンロータ２０３の長さを長くしたりすることができるようになる。
【００５３】
なお、上記のようにボスをファンロータ２０３の内側に形成する場合には、ボスとモータシャフト２１４ｂとを連結固定するためのビスが打てるように、ファンロータ２０３を部分的に切り欠くことが望ましい。但し、ワンタッチでボスとモータシャフト２１４ｂとを連結できる爪構造などを採用する場合には、このようにファンロータ２０３を切り欠く必要がなくなる。また、ボスは、ファンロータ２０３のうち底フレーム２１２の第２カバー部２１２ｅとオーバーラップしている部分よりも内側に配置されていることが望ましい。
【００５４】
［変形例Ｆ］
上記の実施形態では、ファンモータ２１４の外周面の少なくとも一部がモータ外周面支持部２１２ｂ１で覆われるため、モータ外周面支持部２１２ｂ１などを放熱が可能な形状に設計することが望ましい。例えば、モータ外周面支持部２１２ｂ１に放熱フィンを形成したり、ファンモータ２１４とモータ外周面支持部２１２ｂ１との間に熱伝導部材を挿入したりすることが考えられる。
【００５５】
なお、後述する変形例Ｊのように、モータ外周面支持部２１２ｂ１によってファンモータ２１４の前部の防振ゴム部２１４ｃの外面を径方向に支持させる構造を採る場合には、モータ外周面支持部２１２ｂ１の放熱設計の必要性は小さくなる。
［変形例Ｇ］
上記の実施形態では、電装品箱２３０を底フレーム２１２へ装着することによって、ファンモータ２１４をモータ前面支持部２１２ｂ２とモータ後面支持部２３０ａとによりモータ厚み方向に挟み込んでいるが、電装品箱２３０と底フレーム２１２との装着にはビスを用いている。このビスによる装着方法の代わりに、回転ロック式のカギ溝を用いて装着させることも可能であるし、爪嵌合を用いて装着させることも可能であるし、電装品箱２３０および底フレーム２１２にネジを切って双方を装着させることも可能である。
【００５６】
なお、爪嵌合を用いる場合には、嵌合部の形状は、センタ出しのために略円形のもの（あるいは周方向に等間隔なもの）が望ましい。
また、電装品箱２３０と底フレーム２１２とは、直接連結させてもよいし、中間部材を介して連結させてもよい。
［変形例Ｈ］
上記の実施形態では、メンテナンスや交換の際にファンモータ２１４を取り外すときには、電装品箱２３０を外した後にファンモータ２１４を側方に引き抜くことになる。したがって、ファンモータ２１４の横方向への必要移動量に見合うスペースを確保しておくことが望ましい。
【００５７】
［変形例Ｉ］
上記の実施形態では、モータ外周面支持部２１２ｂ１によりファンモータ２１４の外周面が支持され、電装品箱２３０のモータ後面支持部２３０ａによってファンモータ２１４の後面が支持されるため、ファンモータ２１４のハーネスは、ファンモータ２１４の後部から取り出されるようにすることが望ましい。
【００５８】
また、電装品箱２３０をセットしたときにファンモータ２１４のハーネスが電気的に接続されるようにすることも可能である。
［変形例Ｊ］
上記の実施形態では、モータ外周面支持部２１２ｂ１によってファンモータ２１４の本体２１４ａの外面を径方向に支持させているが、図１１に示すように、モータ外周面支持部２１２ｂ１によってファンモータ２１４の前部の防振ゴム部２１４ｃの外面を径方向に支持させる構造を採ることもできる。防振ゴム部２１４ｃは、振動の低減および取り付けの便宜のためにファンモータ２１４の前後に装着されており、外面が円状あるいは多角形状になっている。
【００５９】
このように、ファンモータ２１４の防振ゴム部２１４ｃの外面を、周方向に分割されていないモータ外周面支持部２１２ｂ１によって支持することによっても、上記の実施形態と同様に、ファンモータ２１４の固定状態の安定、ファンモータ２１４の軸心の位置出しの正確性の向上、締結部の緩みによる回転時の軸心の振れの低減といった効果を得ることができる。
【００６０】
また、ファンモータ２１４の防振ゴム部２１４ｃの外面を多角形状に形成し、さらにモータ外周面支持部２１２ｂ１の内面もそれに合った多角形状に形成すれば、モータ外周面支持部２１２ｂ１に対するファンモータ２１４の回転防止がより確実に為されることになる。
［変形例Ｋ］
上記の実施形態では、モータ後面支持部２３０ａを電装品箱２３０の側面に設けている。すなわち、電装品箱２３０とモータ後面支持部２３０ａとを一体としている。
【００６１】
しかし、モータ後面支持部は必ずしも電装品箱２３０と一体でなくてもよく、電装品箱２３０とは別体のモータ後面支持部材を底フレーム２１２に対して装着するような構成を採ることもできる。
【００６２】
【発明の効果】
請求項１に係る発明では、ファンロータの背面を覆う背面部に対してファンロータの両端近傍とオーバーラップする第１および第２カバー部を一体成形しているため、第１および第２カバー部をそれぞれ別部材に形成する従来の室内機に較べて、部品点数が少なくなる。また、ここでは底フレームが第１カバー部の内側に組込用空間を有しているため、ファンロータを傾斜させて正面側の第１および第２カバー部の間の開口からファンロータを長手方向に移動させて底フレーム内に入れ込み、その後にファンロータを長手方向にスライドさせて定位置に収めることができる。
【００６３】
請求項２に係る発明では、ファンロータの背面を覆う背面部に対してファンロータの両端近傍とオーバーラップする第１および第２カバー部を一体成形しているため、第１および第２カバー部をそれぞれ別部材に形成する従来の室内機に較べて、部品点数が少なくなる。また、ここでは、第１カバー部の幅が第２カバー部の幅よりも大きくなっており、正面側の第１および第２カバー部の間の開口からファンロータを底フレーム内へと挿入する際にファンロータを長手方向にスライドさせることができるため、ファンロータを傾斜させた状態で幅が大きい第１カバー部側にオーバースライドさせることで底フレーム内にファンロータを入れ、その後にファンロータを底フレーム内で長手方向にスライドさせて定位置に収めることができる。
【００６４】
請求項３に係る発明では、ファンロータの一端を軸支するための軸受が傾斜可能であるため、ファンロータを底フレーム内に傾斜させて入れ込むことが容易となる。
請求項４に係る発明では、ファンロータをファンモータの回転軸に連結することにより、ファンモータの固定でファンロータの長手方向の位置が精度良く決まることになる。
【００６５】
請求項５に係る発明では、ファンモータの端面の内側にファンモータの回転軸を入れ、ファンモータの端面の内側の連結部においてファンロータとファンモータの回転軸とを連結させる構造であるため、ファンロータの端面からファンモータ側に突起する部分をなくすことができ、ファンロータを組み込みやすくなる。請求項６に係る発明では、弾性変形可能に第１および第２カバー部の正面側の少なくとも一部を形成しているため、接触した際にもファンロータ等が傷つくことが抑えられる。
【図面の簡単な説明】
【図１】空気調和装置の室内機の外観斜視図。
【図２】空気調和装置の室内機の断面図。
【図３】空気調和装置の室内機の組立分解図。
【図４】（Ａ）従来の室内機のファンロータおよびファンモータの支持状態を示す図。
（Ｂ）本発明の一実施形態に係る室内機のファンロータおよびファンモータの支持状態を示す図。
【図５】ファンロータを底フレームに組み込む手順を示す図。
【図６】ファンモータの底フレームへの組み込みを示す斜視図。
【図７】ファンモータおよびファンロータが組み込まれた底フレームの斜視図。
【図８】底フレームに電装品箱を装着した斜視図。
【図９】変形例における底フレーム、ファンロータおよびファンモータを示す図。
【図１０】底フレームのモータ外周面支持部の開口近傍を面取り加工した図。
【図１１】変形例におけるファンモータの支持状態を示す図。
【符号の説明】
２０３        ファンロータ
２０３ａ      シャフト
２１２        底フレーム
２１２ａ    後壁（背面部）
２１２ｄ    第１カバー部
２１２ｅ    第２カバー部
２１３    軸受
２１４        ファンモータ
２１４ｂ      モータシャフト（回転軸）
Ｌ２    第１カバー部の幅
Ｌ３    第２カバー部の幅
Ｓ      空間（組込用空間）
【図１】
0003891006.tif 000002
【図２】
0003891006.tif 000003
【図３】
0003891006.tif 000004
【図４】
0003891006.tif 000005
【図５】
0003891006.tif 000006
【図６】
0003891006.tif 000007
【図７】
0003891006.tif 000008
【図８】
0003891006.tif 000009
【図９】
0003891006.tif 000010
【図１０】
0003891006.tif 000011
【図１１】
0003891006.tif 000012